(57)【要約】【課題】ソレノイドの通電に続いてソレノイドバルブの可動要素が移動の端の位置に到達する瞬間を決定するように構成された、ソレノイドバルブを制御する制御手段を備える電気油圧装置を提供する。【解決手段】ソレノイドバルブの可動要素は、定電流値を中心に電流の増加と減少とに対応する、ソレノイドの充電相と放電相とを交番させるように、定電圧での相とゼロ電圧での相を交互にするソレノイドへの適用で移動する。定電圧での相とゼロ電圧での相を交互にすることが制御され、その結果、定電圧での相が所定時間の間に維持され、減少電流が所定値に到達するとゼロ電圧での相が終了する。又は、増加電流が所定値に達してゼロ電圧での相が所定時間維持されると定電圧での相が終了してもよい。又は、増加電流又は減少電流が所定値に到達すると定電圧での相及びゼロ電圧での相の両方が終了する。【選択図】図２
0003185561.tif 000002
【実用新案登録請求の範囲】
【請求項１】
内燃機関エンジンの吸気バルブ及び／又は排気バルブを可変駆動するための電気油圧装置であって、
当該電気油圧装置は、エンジンのカムシャフトによって駆動されたタペットの動きをエンジンバルブに伝える加圧油圧チャンバであって、当該加圧油圧チャンバがソレノイドバルブによって排出部と連通しており、当該連通が確立されたとき、各戻りバネにより前記エンジンバルブの迅速な閉鎖がもたらされ、前記エンジンバルブをその作動カムから独立にする加圧油圧チャンバを備え、
当該電気油圧装置は、ソレノイドの通電に続いてソレノイドバルブの可動要素が移動の端の位置に到達する瞬間を決定するように構成された、前記ソレノイドバルブを制御するための制御手段を備え、
当該制御手段は、定電流値を中心にして電流の増加及び減少に対応した前記ソレノイドの充電相及び放電相の交番を生じさせるように、定電圧での相及びゼロ電圧での相を交互にすることをソレノイドに適用することによって前記可動要素が移動するように構成されており、
前記定電圧での相及びゼロ電圧での相の交互の相は、定電圧での各相が一定時間の間維持されて、減少した電流が所定値に達したときにゼロ電圧での各相が終了するように、あるいは、増加した電流が所定値に達したときに定電圧での相が終了して、ゼロ電圧での相が一定時間の間維持されるように、制御され、
充電相及びその後の放電相からなる各サイクルの期間が、絶えずモニターされ、少なくとも２つのサイクルの期間が、お互いに比較されるとともに所定の閾値と比較されて、移動の端の位置に到達する瞬間は、所定の閾値よりも長い期間でお互いを区別する二つの連続したサイクルを分離する瞬間として同定されることを特徴とする電気油圧装置。
【考案の詳細な説明】
【技術分野】
【０００１】
この考案は、一般に、ソレノイドバルブの制御手段を備える電気油圧装置に関する。本考案は、特に、ソレノイドバルブの可動要素がソレノイドの通電に続く移動の端位置に到達する瞬間を決定するための制御手段を備える電気油圧装置に関する。
【背景技術】
【０００２】
ソレノイドバルブにおいて、ソレノイドへの駆動電流の適切なプロファイルの適用を通じて、ソレノイドバルブの開いた状態及び閉鎖状態に対応する二つの移動の端（end-of-travel）の位置の間で開閉要素の機能を有する可動部（movable part）を動かす（displace）ことは可能である。
【０００３】
この考案に係る電気油圧装置は、前記移動の端の位置がバルブの閉鎖状態に対応する通常開いたソレノイドバルブと、前記移動の端の位置がバルブの開いた状態に対応する通常閉鎖したソレノイドバルブと、に適用可能である。
【０００４】
ソレノイドの通電の瞬間と開閉要素により移動の端の位置への到達との間に経過する時間(作動時間)の計測は、バルブのロバスト（robust）制御のために基本的な重要性を仮定する。前記必要性は、例えば、エンジンの吸気バルブ及び／又は排気バルブの電気油圧式の作動を備えた内燃機関エンジンのコントロールシステムの場合に特に感じられる。前記適用（application）において、エンジンバルブの動作用の装置におけるオイルの通過を調節するソレノイドバルブの動作の時間(開口又は閉鎖の時間として理解される)を制御し続けることは非常に重要である。
【０００５】
この考案の特に重要な適用は、本出願人(例えば、特許文献１を参照のこと)によって提案されたユニエアー（UNI-AIR）と呼ばれるタイプの内燃機関エンジンのバルブを制御するための電気油圧式を目的としている（aimed at）。各エンジンバルブに対応して、エンジンのカムシャフトによって駆動されたタペットの動きをエンジンバルブに伝える加圧油圧チャンバが存在し、前記加圧油圧チャンバは通常開いたソレノイドバルブによって排出部（exhaust）と連通している。ソレノイドバルブのソレノイドが通電された（energized）とき、前述の連通が遮断され、前述の加圧油圧チャンバは、油圧で作動カムの動きをエンジンバルブに伝える。ソレノイドが非通電となるとき、加圧された流体は、各戻しバネの結果としてエンジンバルブの迅速な閉鎖をもたらすように前述の加圧油圧チャンバから放出され、それにより、エンジンバルブをその作動カムから独立にする。
【０００６】
ソレノイドバルブの可動要素が移動の端の位置に到達する瞬間を決定するための方法が既に提案されている。例えば、特許文献２及び特許文献３(本出願人の名で出願されている)を参照すること。前記瞬間は、ソレノイドに供給される、電流及び／又は電圧のプロファイルの分析によって同定される。
【先行技術文献】
【特許文献】
【０００７】
【特許文献１】ヨーロッパ特許出願第1 653 057号（EP 1 653 057 A1）
【特許文献２】国際公開94/13991（WO-A-9413991）
【特許文献３】ヨーロッパ特許公開第1 533 506号（EP 1 533 506 A2）
【考案の概要】
【考案が解決しようとする課題】
【０００８】
本考案の目的は、方法自体を実現するように設計された電子的処理手段とそれに使用されるソフトウェアとの両方の実質的な単純化を可能にし、さらに、電子処理装置をソレノイドに接続するための回路のインピーダンスの変化に本質的に反応しにくい（したがって、容易に制御可能である）、制御手段を提供することである。ここで、回路のインピーダンスの変化は、例えば、コネクタの老化（ageing）でもたらされた接触抵抗の変化により、あるいはケーブル長さの起こりうる変化により、起こる。
【課題を解決するための手段】
【０００９】
上記目的を達成するために、この考案の主題（subject）は、
内燃機関エンジンの吸気バルブ及び／又は排気バルブを可変駆動するための電気油圧装置であって、
当該電気油圧装置は、エンジンのカムシャフトによって駆動されたタペットの動きをエンジンバルブに伝える加圧油圧チャンバであって、当該加圧油圧チャンバがソレノイドバルブによって排出部と連通しており、当該連通が確立されたとき、各戻りバネにより前記エンジンバルブの迅速な閉鎖がもたらされ、前記エンジンバルブをその作動カムから独立にする加圧油圧チャンバを備え、
当該電気油圧装置は、ソレノイドの通電に続いてソレノイドバルブの可動要素が移動の端の位置に到達する瞬間を決定するように構成された、前記ソレノイドバルブを制御するための制御手段を備え、
当該制御手段は、定電流値を中心にして電流の増加及び減少に対応した前記ソレノイドの充電相及び放電相の交番を生じさせるように、定電圧での相及びゼロ電圧での相を交互にすることをソレノイドに適用することによって前記可動要素が移動するように構成されており、
前記定電圧での相及びゼロ電圧での相の交互の相は、定電圧での各相が一定時間の間維持されて、減少した電流が所定値に達したときにゼロ電圧での各相が終了するように、あるいは、増加した電流が所定値に達したときに定電圧での相が終了して、ゼロ電圧での相が一定時間の間維持されるように、制御され、
充電相及びその後の放電相からなる各サイクルの期間が、絶えずモニターされ、少なくとも２つのサイクルの期間が、お互いに比較されるとともに所定の閾値と比較されて、移動の端の位置に到達する瞬間は、所定の閾値よりも長い期間でお互いを区別する二つの連続したサイクルを分離する瞬間として同定される。
【００１０】
理解されるように、この考案に係る電気油圧装置は、電流の閾値が到達したかどうかに応じて、二つの工程の少なくとも一つが実行される充電相及び放電相の交番(スイッチング)によって、ソレノイドを流れる電流が始動する（set up）ことを提供するソレノイドバルブの可動要素の動き検出するために用いられる。
【考案の効果】
【００１１】
上記特徴のおかげで、ソレノイドに提供するための電流及び／又は電圧のプロファイルの分析を通じて同じ目的を達成する既知のものと比較して、いくつかの実質的な利点が、この考案によって達成することができる。特に、周波数の変化の量が検出されたと仮定すると、スイッチングの瞬間の決定に到達するために電圧及び／又は電流の値を正確に分析することは必要ではない。このことにより、信号を処理するために必要なハードウェア及びソフトウェアの相当な低下が可能になる。更に、当該システムは、例えば、コネクタの老化のためにコネクタの接触抵抗の変化や、ケーブル等の長さでの起こり得る（possible）変化のような、ソレノイドへの接続のための回路のインピーダンスの変化に対して本質的にそれほど敏感ではない(したがって、より容易に制御可能である)。
【００１２】
この考案についてのより良い理解は、制限しない実施例としてのみ提供された添付図面の助けによって得られるだろう。
【図面の簡単な説明】
【００１３】
【図１】その第一の移動の端の位置からその第二の移動の端の位置に、そして再び第一の移動の端の位置に、バルブの可動要素をもたらすソレノイド駆動電流のプロファイルを示す。
【図２】ソレノイドの通電に続く移動の端の位置にバルブの可動要素が到達する瞬間の直前及び直後にソレノイドの充電及び放電のサイクルの期間の変化を示す。
【考案を実施するための形態】
【００１４】
上述したユニエアー（UNI-AIR）タイプの、内燃機関エンジンのバルブを可変駆動するためのシステムを制御するためのソレノイドバルブの特定のケースにおいて、ソレノイドそれ自体の通電及び非通電（de-energization）の全サイクル（complete cycle）の間にソレノイドを流れる電流の時間における変化が図１に示されている。ソレノイド駆動電流のプロファイルは、ゼロ電圧(放電相（discharging phase）)と交互にして、定電圧(充電相（charging phase）)によってソレノイドにわたって（across）決定される。
【００１５】
図示された特定のケースにおいて、ソレノイドバルブの可動要素の移動をもたらす前磁化電流の第一のレベルと、第二のピークのレベルと、可動要素がその移動の端（end-of-travel）の位置に到達した後に可動要素を適所に（in position）維持するための保持電流の第三の低いレベルとが想定されている。
【００１６】
到達した電流のレベルは、充電相及び放電相の期間に依存する。特に、電流の一定の平均レベルを維持するために、充電相と放電相との間での迅速な交番(スイッチング)に頼る（recourse）。
【００１７】
図１に図示されたケースにおいて、電流のピーク値を中心に切り替わる（switching）領域において、充電相が一定時間の間で行なわれるが、電流の閾値ipeak MINが到達したとき、放電相が中断される（interrupted）。
【００１８】
ソレノイドバルブの可動要素の移動(ピーク電流によって供給されたエネルギーの結果として得られる)は、インダクタンスの変化（variation）をもたらす。インダクタンスの変化（variation）は、ソレノイドにわたって（across）電圧の変化に帰着する。前記現象は、知られており、引用された国際公開第9413991号（WO-A-9413991）、及びヨーロッパ特許公開第1 533 506号（EP 1 533 506 A2）において、既に強調されている。
【００１９】
図２に図示されるように、インダクタンスの前述の変化は、スイッチング周波数の必然的な変化に導く。図から分かるように、充電相は、一定の時間（fixed-time）の制御の下にあるので、インダクタンスの変化の前記現象は、電流が図２においてＢで示された最大値にまだ到達していないとき、図２においてＡで示されたサイクルの第一の（first）シリーズ（series）に対して、充電相が終了する。したがって、サイクルＡの間に、電流が低い閾値Ｃに戻るための時間が短くなる。その代りに、図２におけるサイクルＤにおいて、電流は、充電相のための所定の時間で値Ｂになんとか到達する。その結果、電流が最大値Ｂから閾値Ｃまで戻るための時間が、長くなる。
【００２０】
もう一度、図２を参照する。グラフＥは、ソレノイドバルブの可動要素がその移動の端の位置に到達する瞬間を正確に同定する目的で実験的に用いられた加速度計（accelerometer）のトレースを示す。図から分かるように、前記瞬間の直前では、ソレノイドの充電及び放電の全サイクルの期間（duration）が、時間t1に等しいが、前述の瞬間直後では、ソレノイドの充電及び放電の全サイクルの期間（duration）が、時間t2（ここで、t2>t1）に等しい。実際上、本考案に係る装置において、ソレノイドの充電及び放電の各サイクルの期間（duration）tは、絶えずモニターされる。また、可動要素の移動の端の位置の到達する瞬間は、充電及び放電の二つの連続したサイクルを分割する瞬間と同一視される（identified with）。それらの期間は、所定の閾値の時間より長い時間で互いに相違している。
【００２１】
もちろん、電流の最大閾値に到達するときに各充電相が終了して各放電相が一定時間の間維持されるように、あるいは、増加する電流あるいは減少する電流が所定値に到達するときに定電圧での相及びゼロ電圧での相の両方が終了するように、ソレノイドの充電及び放電のサイクルが制御されることになっていた場合においても、同じ結果が得られる。
【００２２】
既に上述したように、上述の特徴のおかげで、さらに、例えばバルブのソレノイドと電子制御装置との間での接続における接触の老化（ageing）によって起こり得る外乱（disturbance）に対するシステムの鈍感さ（insensitivity）のおかげで、本考案に係る装置は、装置を実現するように構成された電子的処理手段の単純化の見地から、及び、より大きなロバスト性（robustness）とより便利なキャリブレーションとの見地から、既知の装置と比較して利点を与える。
【００２３】
もちろん、この考案の原理を損なうことなく、構造の細部及び実施態様は、この考案の範囲から逸脱することなく、実施例のみとして本願明細書に記述され図示されたものを幅広く変更してもよい。
【符号の説明】
【００２４】
Ａ：サイクル
Ｂ：最大値
Ｃ：低い閾値
Ｄ：サイクル
【図１】
0003185561.tif 000003
【図２】
0003185561.tif 000004